(57)【要約】【課題】  主熱交換器と副熱交換器を備えた給湯装置において、ドレンによる副熱交換器の腐食を防止し、且つドレンの大部分を空気中に飛散させることなく排水路を介して外部に排出すること。【解決手段】  給湯装置は、運転停止後にストッパー機構２３により開閉蓋９をほぼ閉止状態に保持すると共に、ファン１２を５分間作動させて副熱交換器７の表面に送風するように制御するコントロールユニットを備え、ファン１２からの送風により副熱交換器７の水管７ａの表面に付着したドレンを落下させると共に水管７ａの表面を乾燥させて、落下したドレンをドレン受け８を介して排水路４３に排出するように構成した。【選択図】  図２
2007303701.tif 000002
【特許請求の範囲】
【請求項１】
燃料を燃焼するバーナーと、このバーナーに燃焼用空気を供給するファンと、バーナーの燃焼ガスから顕熱を回収する主熱交換器と、主熱交換器で回収しきれなかった顕熱に加えて潜熱を回収する副熱交換器と、副熱交換器での熱回収後の排気ガスを外部に排出する排気通路と、副熱交換器での潜熱回収によって副熱交換器の表面に発生したドレンを受けるドレン受けと、ドレン受けで受けたドレンを排出する排水路とを備えた給湯装置において、
給湯装置の運転停止後に前記ファンを所定時間作動させて副熱交換器の表面に送風するように制御する制御手段を備え、
前記ファンからの送風により副熱交換器の表面に付着したドレンを落下させると共に副熱交換器の表面を乾燥させ、落下したドレンをドレン受けを介して排水路に排出するように構成したことを特徴とする給湯装置。
【請求項２】
前記排気通路への排気ガスの流出を抑制する開閉蓋を設けたことを特徴とする請求項１に記載の給湯装置。
【請求項３】
前記開閉蓋は、回転軸を中心に回転する回転蓋であって、ファンの送風時に開放状態となり且つファンの停止時にほぼ閉止状態となる回転蓋で構成されたことを特徴とする請求項２に記載の給湯装置。
【請求項４】
前記制御手段によって前記ファンを作動させる状態のとき、開閉蓋をほぼ閉止状態に保持するストッパー手段を備えたことを特徴とする請求項３に記載の給湯装置。
【請求項５】
雰囲気温度を検出する温度センサを備え、
前記制御手段は、温度センサにより検出された雰囲気温度が所定値以下の場合にファンを作動させないように制御することを特徴とする請求項１〜４の何れかに記載の給湯装置。
【発明の詳細な説明】
【技術分野】
【０００１】
本発明は、主熱交換器と副熱交換器を備えた給湯装置に関し、特に給湯装置の運転停止後に副熱交換器の表面に付着したドレンを除去することにより副熱交換器の腐食を防止し、且つドレンの大部分を空気中に飛散させることなく外部に排出するように構成したものに関する。
【背景技術】
【０００２】
従来、給湯装置には、バーナーの燃焼ガスから顕熱を回収する主熱交換器と、主熱交換器で回収しきれなかった顕熱に加えて潜熱を回収する副熱交換器とを組み込んで、燃焼ガスの熱交換効率を向上させたものがある。給湯装置の運転中、副熱交換器での潜熱回収によって副熱交換器の表面に強酸性のドレンが結露するため、ドレンを受けるドレン受けを副熱交換器の下側に設け、副熱交換器の表面から落下したドレンをドレン受けで受けて排水路を介して中和器に導入し、中和器内で中和処理を行った後に下水道などへ排出する構成が一般的である。
【０００３】
また、副熱交換器での潜熱回収によって発生したドレンを外部へ排出する為の構成として、排水路を介さずに空気中に排出するようにしたものがある。
特許文献１には、副熱交換器の下側にドレン回収器を設け、このドレン回収器内にドレン受けと、燃焼用空気供給ファンから送られた空気を噴出させるノズルを設けた給湯器が開示され、装置の運転中にノズルから噴出された空気によって副熱交換器から落下したドレンを空気排気口から外部へ強制的に排出している。
【０００４】
特許文献２には、副熱交換器の下側にドレン蒸発器を設け、燃焼用空気供給ファンから送られた熱風をドレン蒸発器に向けて送風する給湯器が開示され、装置の運転中に燃焼用空気供給ファンから送られた熱風によってドレン蒸発器で受けたドレンを蒸発させている。
【特許文献１】特開２００５−６１７９２号公報
【特許文献２】特開２００５−６１７９１号公報
【発明の開示】
【発明が解決しようとする課題】
【０００５】
ところで、給湯装置の運転中においては、結露したドレンが連続的に発生して副熱交換器の表面に付着するため、ドレンが大きな液滴となって落下しやすくなるが、運転を停止すると副熱交換器に燃焼ガスが供給されなくなって新たにドレンが発生しなくなり、副熱交換器の表面に付着したドレンが落下しにくくなる。
【０００６】
このように、副熱交換器の表面に強酸性のドレンが付着した状態で放っておくと、副熱交換器において腐食が進行して耐久性が低下するため対策を講じる必要があるが、特許文献１と特許文献２には、給湯装置の運転停止後に副熱交換器の表面に付着したドレンを除去し、副熱交換器の表面を乾燥させる技術については開示されていない。
さらに、特許文献１と特許文献２においては、給湯装置の運転を停止させた場合に燃焼用空気供給ファンも停止するため、ドレンの外部への排出が停止するだけでなく、副熱交換器の表面に付着したドレンが残ったままである。
【０００７】
また、特許文献１においては、ノズルから噴出された空気によってドレンを空気排気口から外部へ強制的に排出するため、ドレンが空気中に飛散し、環境への影響を考慮するとあまり望ましいものではない。特許文献２においても、ドレン蒸発器に落下したドレンに向けて熱風を送風するため、特許文献１の場合と同様にドレンが空気中に飛散する虞がある。
【０００８】
本発明の目的は、主熱交換器と副熱交換器を備えた給湯装置において、ドレンによる副熱交換器の腐食を防止し、且つドレンの大部分を空気中に飛散させることなく排水路を介して外部に排出すること、等である。
【課題を解決するための手段】
【０００９】
請求項１の給湯装置は、燃料を燃焼するバーナーと、このバーナーに燃焼用空気を供給するファンと、バーナーの燃焼ガスから顕熱を回収する主熱交換器と、主熱交換器で回収しきれなかった顕熱に加えて潜熱を回収する副熱交換器と、副熱交換器での熱回収後の排気ガスを外部に排出する排気通路と、副熱交換器での潜熱回収によって副熱交換器の表面に発生したドレンを受けるドレン受けと、ドレン受けで受けたドレンを排出する排水路とを備えた給湯装置において、給湯装置の運転停止後に前記ファンを所定時間作動させて副熱交換器の表面に送風するように制御する制御手段を備え、前記ファンからの送風により副熱交換器の表面に付着したドレンを落下させると共に副熱交換器の表面を乾燥させ、落下したドレンをドレン受けを介して排水路に排出するように構成したことを特徴とするものである。
【００１０】
この給湯装置では、給湯装置の運転停止後に、制御手段によりファンを所定時間作動させて副熱交換器の表面に送風するように制御する。ファンからの送風により副熱交換器の表面に付着したドレンを落下させて副熱交換器の表面を乾燥させるので、潜熱回収時に副熱交換器の表面に付着したドレンが除去され、ドレンによる副熱交換器の腐食を防止することができる。このとき、落下したドレンをドレン受けを介して排水路に排出することで、排水路の下流側に設けた中和器で中和処理を行った後にドレンを外部に排出することができる。
【００１１】
請求項２の給湯装置は、請求項１の発明において、前記排気通路への排気ガスの流出を抑制する開閉蓋を設けたことを特徴とする。
【００１２】
請求項３の給湯装置は、請求項２の発明において、前記開閉蓋は、回転軸を中心に回転する回転蓋であって、ファンの送風時に開放状態となり且つファンの停止時にほぼ閉止状態となる回転蓋で構成されたことを特徴とする。
【００１３】
請求項４の給湯装置は、請求項３の発明において、前記制御手段によって前記ファンを作動させる状態のとき、開閉蓋をほぼ閉止状態に保持するストッパー手段を備えたことを特徴とする。
【００１４】
請求項５の給湯装置は、請求項１〜４の何れかの発明において、雰囲気温度を検出する温度センサを備え、前記制御手段は、温度センサにより検出された雰囲気温度が所定値以下の場合にファンを作動させないように制御することを特徴とする。
【発明の効果】
【００１５】
請求項１の発明によれば、制御手段により給湯装置の運転停止後にファンを所定時間作動させて副熱交換器の表面に送風し、副熱交換器の表面に付着したドレンを落下させると共に副熱交換器の表面を乾燥させるので、潜熱回収時に副熱交換器の表面に付着したドレンを完全に除去することができ、副熱交換器の腐食を防止することができる。また、落下したドレンをドレン受けを介して排水路に排出するので、ドレンを中和器で中和処理を行った後に外部に排出することができ、環境に悪影響を及ぼさない。
【００１６】
請求項２の発明によれば、排気通路への排気ガスの流出を抑制する開閉蓋を設けたので、給湯装置の運転停止後にファンを所定時間作動させたときに開閉蓋をほぼ閉止状態にすることで、ファンからの送風によりドレンが吹き飛ばされてその大部分が排気通路へ流出するのを防止することができ、排気通路を介してドレンが空気中に飛散しない。
【００１７】
請求項３の発明によれば、開閉蓋は、回転軸を中心に回転する回転蓋であって、ファンの送風時に開放状態となり且つファンの停止時にほぼ閉止状態となる回転蓋で構成されたので、運転停止時に回転蓋がほぼ閉止状態となり、排気通路を介して雨水などが給湯装置内に侵入するのを防止することができる。
【００１８】
請求項４の発明によれば、制御手段によってファンを作動させる状態のとき、開閉蓋をほぼ閉止状態に保持するストッパー手段を備えたので、給湯装置の運転停止後にファンを所定時間作動させたときに、ドレンの大部分が排気通路へ流出するのを確実に防止することができ、排気通路を介してドレンが空気中に飛散しない。
【００１９】
請求項５の発明によれば、雰囲気温度を検出する温度センサを備え、前記制御手段は、温度センサにより検出された雰囲気温度が所定値以下の場合にファンを作動させないように制御するので、低温時に主熱交換器と副熱交換器の凍結を防止することができる。
【発明を実施するための最良の形態】
【００２０】
本発明の給湯装置は、制御手段により給湯装置の運転停止後にストッパー手段により開閉蓋をほぼ閉止状態に保持すると共に、ファンを所定時間作動させて副熱交換器の表面に送風するように制御し、ファンからの送風により副熱交換器の表面に付着したドレンを落下させると共に副熱交換器の表面を乾燥させ、落下したドレンをドレン受けを介して排水路に排出するように構成したものである。
【実施例】
【００２１】
以下、本発明の実施例について図面に基づいて説明する。
図１に示すように、給湯装置１は、給湯器本体２と、この給湯器本体２に燃料ガスを供給するガス供給管４０と、給湯器本体２に水を供給する給水管４１と、給湯器本体２から湯水を出湯する出湯管４２と、潜熱回収時に副熱交換器７に発生したドレンを排出する排水路４３と、排水路４３から排出されたドレンを中和する中和器４４と、給湯装置１の運転操作を行う為の操作パネル４７と、給湯装置１の全体の制御を司る制御手段としてのコントロールユニット４８（Ｃ／Ｕ）等を備えている。
【００２２】
ガス供給管４０は、ガス供給源のガス供給ポートに接続されてバーナー５まで延びている。給水管４１は、その一端が水道管と接続された給水ポートに接続されると共に他端が副熱交換器７に接続されている。出湯管４２は、その一端が主熱交換器６に接続されると共に他端が出湯ポートに接続され、出湯ポートから台所や風呂等の各設備に湯水が供給される。
【００２３】
排水路４３は、ドレン受け８の下端部から延びて中和器４４に接続されており、副熱交換器７の表面から落下したドレンをドレン受け８を介して排水路４３に排出し、中和器４４に導入する。中和器４４内には、ドレンを中和する中和剤として炭酸カルシウムが充填されており、ドレン受け８から排水路４３を介して導入されたドレンを中和器４４内の炭酸カルシウム中を低速で通過させることにより中和処理が行われ、中和処理後のドレンを中和器４４の下端部に接続された排水管４５を介して下水道などに排出する。
さらに、中和器４４の下端部においてドレンが導入される側には水抜き用の水抜き管４６が接続されている。
【００２４】
次に、給湯器本体２について説明する。
図１、図２に示すように、給湯器本体２は本体ケース３と排気カバー２０とを備えている。本体ケース３内には燃焼室４が形成され、この燃焼室４には、燃料を燃焼するバーナー５と、バーナー５の燃焼ガスから顕熱を回収する主熱交換器６等が設けられている。
【００２５】
本体ケース３内において上端部分には、主熱交換器６で回収しきれなかった顕熱に加えて潜熱を回収する副熱交換器７と、副熱交換器７での潜熱回収によって副熱交換器７の表面に発生したドレンを受けるドレン受け８と、排気通路２１への排気ガスの流出を抑制する開閉蓋９等が設けられている。また、本体ケース３の下端部には、バーナー５に燃焼用空気を供給するファン１２と、雰囲気温度を検出する温度センサ１３が設けられている。
【００２６】
本体ケース３内の上端部材には、複数の水管７ａを有する副熱交換器７が配設され、この副熱交換器７の下側にはドレン受け８が設けられている。ここで、副熱交換器７による潜熱回収時には、副熱交換器７の複数の水管７ａの表面に結露したドレンが付着する。
ドレン受け８の図１における左右幅は、本体ケース３の左右幅とほぼ同じ寸法に形成され、ドレン受け８の図１における前後長は本体ケース３の前後長よりも小さな寸法に形成されており、ドレン受け８の後壁８ａと本体ケース３の後壁との間には燃焼ガス通路１４が形成されている。本体ケース３の上壁から延びる縦壁３ａとドレン受け８の後壁８ａとの間には燃焼ガス給気口１５が形成され、燃焼室４から送られた燃焼ガスが、燃焼ガス通路１４を通過して燃焼ガス給気口１５から前方に向かって副熱交換器７に導入される。
【００２７】
ここで、燃焼ガス通路１４及び燃焼ガス給気口１５は、燃焼室４よりも狭くなるように構成されているため、燃焼室４より流れてきた燃焼ガスが流速を増して副熱交換器７に向かって流れる。それ故、副熱交換器７の水管７ａに付着したドレンを確実に吹き飛ばして落下させることができる。本体ケース３において副熱交換器７の前側には、排気通路２１と連通する排気ガス排出口１６が設けられている。
【００２８】
図２、図３に示すように、排気ガス排出口１６には正面視にて円状の開閉蓋９が設けられ、この開閉蓋９は、回転軸１１と、回転軸１１を中心に回転する回転蓋１０とで構成されている。回転軸１１は回転蓋１０の中段部よりもやや上側に組み込まれて、回転蓋１０において回転軸１１の上側の重量よりも下側の重量が重くなるように構成され、回転軸１１の両端部は排気ガス排出口１６の周壁の孔に夫々挿通されている。それ故、ファン１２の送風時には、図２において２点鎖線で示すように、排気ガスにより回転蓋１０が反時計回りに回動し開放状態となり、ファン１２の停止時には、図２において実線で示すように、回転蓋１０の自重で回転蓋１０が時計回りに回動しほぼ閉止状態となる。
【００２９】
ここで、回転蓋１０は、排気ガス排出口１６よりも小さな寸法に形成され、回転蓋１０が閉止状態の場合に回転蓋１０と排気ガス排出口１６の周壁との間に僅かな隙間が形成されるため、排気ガスの一部が排気ガス排出口１６から排気通路２１へ排出されるようになっている。また、回転蓋１０をほぼ閉止状態とすることにより、雨水や外気（冷気）の侵入を抑制する作用もある。
【００３０】
図２に示すように、排気カバー２０は本体ケース３の上端部分に取付けられ、排気カバー２０が取付けられた部分において、排気カバー２０と本体ケース３とで排気ガスを外部に排出する為の排気通路２１が構成されている。排気カバー２０の上端には、排気通路２１を通過した排気ガスを排出する為の排気口２２が設けられている。排気通路２１において排気ガス排出口１６付近には、コントロールユニット４８からの指令によって開閉蓋９をほぼ閉止状態に保持するストッパー機構２３（ストッパー手段）が設けられている。
【００３１】
図４に示すように、ストッパー機構２３は、ケース２４と、リング状の電磁石用コイル２５と、ストッパー２６と、蓋部材２９とを有し、コントロールユニット４８からの指令によりストッパー２６を下方の原位置と上方の作動位置に亙って切換え可能に構成されている。ケース２４内には電磁石用コイル２５が配設され、電磁石用コイル２５のリング状空間３０にストッパー２６が配設され、蓋部材２９の孔２９ａからストッパー２６が突出可能となるように蓋部材２９がケース２４の上端に固定されている。
【００３２】
ストッパー２６は、上端部がＮ極で下端部がＳ極の永久磁石２７を台座２８の上面に固定して構成され、非通電時には、電磁石用コイル２５のリング状空間３０に磁力が発生しないため、図４において実線で示すように、ストッパー２６は下方の原位置に位置する。コントロールユニット４８から指令を受けると、電磁石用コイル２５が通電することでリング状空間３０において上向きの磁力が発生し、図４において２点鎖線で示すように、ストッパー２６を上方に浮上させて作動位置に切換えて、開閉蓋９をほぼ閉止状態に保持する。
【００３３】
マイクロコンピュータを有するコントロールユニット４８には、操作パネル４７と、ファン１２と、温度センサ１３と、ストッパー機構２３等が電気的に接続され、このコントロールユニット４８は、操作パネル４７に設けた運転停止スイッチをユーザが操作することにより送信された運転停止信号に基づいて、ストッパー機構２３のストッパー２６を作動位置に切換えて開閉蓋９をほぼ閉止状態に保持するように制御すると共に、給湯装置１の運転停止後にファン１２を所定時間（例えば５分間）作動させて副熱交換器７の水管７ａの表面に送風するように制御する。ここで、運転停止後とは、給湯装置１の運転停止後、副熱交換器７の表面に発生したドレンが表面張力により張り付いた状態である期間を意味し、運転停止直後、あるいは運転停止直後の一定時間内等、特に時間を特定するものではない。それに加えて、コントロールユニット４８は、温度センサ１３により検出された雰囲気温度が所定値以下（例えば０℃以下）の場合に、ファン１２を作動させないように制御する。
【００３４】
次に、コントロールユニット４８で実行される前述のファン及びストッパー機構制御のフローチャートについて、図５に基づいて説明する。但し、図中Ｓｉ（ｉ＝１，２・・・）は各ステップを示す。尚、ファン及びストッパー機構制御を実現するためのプログラムは、コントロールユニット４８のマイクロコンピュータのＲＯＭ等に格納されているものとする。
【００３５】
このファン及びストッパー機構制御プログラムは操作パネル４７に設けた運転スイッチを操作したときに開始されるようになっており、先ず、ユーザにより運転停止スイッチが操作されて運転停止信号を受信したか否かが判定され（Ｓ１）、運転停止スイッチが操作された場合（Ｓ１；Ｙｅｓ）、タイマーＴＭをリセットしてスタートする（Ｓ２）。但し、運転停止スイッチが操作されない場合は（Ｓ１；Ｎｏ）、スタートにリターンする。
【００３６】
次に、温度センサ１３の検出温度Ｔを読込んで（Ｓ３）、検出された検出温度Ｔが０℃以上であるか否かが判定され（Ｓ４）、検出温度Ｔが０℃以上である場合（Ｓ４；Ｙｅｓ）、電磁石２５に通電しストッパー２６を原位置から作動位置に切換えて（Ｓ５）、開閉蓋９をほぼ閉止状態に保持した後、ファン１２の駆動回路に通電しファン１２を作動させて（Ｓ６）、副熱交換器７の水管７ａの表面に送風し、これらの水管７ａの表面に付着したドレンを落下させて水管７ａの表面を乾燥させる。但し、検出温度Ｔが０℃以下である場合（Ｓ４；Ｎｏ）は、ファン１２を作動させずに本制御プログラムの実行を終了する。
【００３７】
次に、ファン１２を作動させてから５分以上経過したか否かが判定され（Ｓ７）、５分以上経過した場合（Ｓ７；Ｙｅｓ）、ファン１２の駆動回路への通電を停止しファン１２を停止させて（Ｓ８）、電磁石２５への通電を停止しストッパー２６を作動位置から原位置に復帰させて（Ｓ９）、本制御プログラムの実行を終了する。但し、５分未満の場合（Ｓ７；Ｎｏ）は、Ｓ７が繰り返し実行される。
【００３８】
次に、以上説明した給湯装置１の作用、効果について説明する。
給湯装置１の運転停止後に、コントロールユニット４８によりストッパー２６を作動位置に切換えて開閉蓋９をほぼ閉止状態に保持し、且つファン１２を５分間作動させて副熱交換器７の表面に送風するように制御し、ファン１２からの送風により副熱交換器７の水管７ａの表面に付着したドレンを落下させてこれら水管７ａの表面を乾燥させる。これにより、潜熱回収時に副熱交換器７の水管７ａの表面に付着したドレンが除去され、ドレンによる副熱交換器７の腐食を防止することができる。このとき、落下したドレンをドレン受け８を介して排水路４３に排出することで、排水路４３の下流側に設けた中和器４４で中和処理を行った後にドレンを外部に排出することができる。尚、落下したドレンがドレン受け８を介さず、直接排水路４３に排出されても何ら問題はなく、本発明はこのような場合も含むものである。
【００３９】
このように、コントロールユニット４８により給湯装置１の運転停止後にファン１２を５分間作動させて副熱交換器７の水管７ａの表面に送風し、これら水管７ａの表面に付着したドレンを落下させると共に水管７ａの表面を乾燥させるので、潜熱回収時に副熱交換器７の水管７ａの表面に付着したドレンを完全に除去することができ、副熱交換器７の腐食を防止することができる。このとき、燃焼ガス通路１４及び燃焼ガス給気口１５は、燃焼室４よりも狭くなっているため、燃焼室４より流れてきた燃焼ガスが流速を増して副熱交換器７に向かって流れて、副熱交換器７に付着したドレンを確実に吹き飛ばして落下させることができる。また、落下したドレンをドレン受けを介して排水路４３に排出するので、ドレンを中和器４４で中和処理を行った後に下水道などに排出することができ、環境に悪影響を及ぼさない。
【００４０】
さらに、排気通路２１への排気ガスの流出を抑制する開閉蓋９を設けたので、給湯装置１の運転停止後にファン１２を５分間作動させるときに開閉蓋９をほぼ閉止状態にすることで、ファン１２の送風によってドレンの大部分が吹き飛ばされて排気通路２１へ流出するのを防止することができ、排気通路２１を介してドレンが空気中に飛散しない。
開閉蓋９は、回転軸１１を中心に回転する回転蓋１０であって、ファン１２の送風時に開放状態となり且つファン１２の停止時にほぼ閉止状態となる回転蓋１０で構成されたので、運転停止時に回転蓋１０がほぼ閉止状態となり、排気通路２１を介して雨水などが給湯装置１内に侵入するのを防止することができる。
【００４１】
コントロールユニット４８によってファン１２を作動させる状態のとき、開閉蓋９をほぼ閉止状態に保持するストッパー機構２３を備えたので、給湯装置１の運転停止後にファン１２を５分間作動させたときに、ドレンの大部分が排気通路２１へ流出するのを確実に防止することができ、排気通路２１を介してドレンが空気中に飛散しない。
さらに、雰囲気温度を検出する温度センサ１３を備え、コントロールユニット４８は、温度センサ１３により検出された雰囲気温度が０℃以下の場合にファン１２を作動させないように制御するので、低温時にむやみに外気（冷気）を給湯装置１内に導入することなく、主熱交換器６と副熱交換器７の凍結を防止することができる。
【００４２】
次に、前記実施例を部分的に変更した変更例について説明する。
１］開閉蓋９の代わりに、図６、図７に示す開閉蓋９Ａで構成してもよい。この場合、回転蓋１０の中段部に回転軸１１を組み込み、回転軸１１の両端部は排気ガス排出口１６の周壁の孔に夫々挿通されている。回転蓋１０の下端部付近に錘５０を設け、ファン１２の作動時には、図７において２点鎖線で示すように、排気ガスにより回転蓋１０が反時計回りに回動して開放状態となり、ファン１２の停止時には、図７において実線で示すように、錘５０の重さで回転蓋１０が時計回りに回動しほぼ閉止状態となるように構成する。
【００４３】
２］図８に示すように、通電時に開閉蓋９を開放状態とし、且つ非通電時に開閉蓋９をほぼ閉止状態となるようにストッパー機構２３Ａを構成してもよい。ストッパー機構２３Ａにおいては、通電時にリング状空間３０において下向きの磁力が発生する電磁石用コイル２５Ａを設けると共に、永久磁石２７の代わりに、磁性体製である鋼製のストッパー２６Ａとコイルバネ５１を設ける。この場合、通電時に電磁石用コイル２５Ａのリング状空間３０に発生する下向きの磁力によりストッパー２６Ａがコイルバネ５１のバネ力に抗して下方の作動位置に切換えられて開閉蓋９を開放状態とし、非通電時にコイルバネ５１の付勢力でもってストッパー２６Ａが上方の原位置に切換えられて開閉蓋９をほぼ閉止状態となるように構成する。
【００４４】
３］図９、図１０に示すように、サーボモータ５２の駆動により開閉蓋９の開閉状態を切換え可能にストッパー機構２３Ｂを構成してもよい。この場合、ストッパー機構２３Ｂは、サーボモータ５２と、サーボモータ５２の駆動により回動するウォームギヤ５３と、ウォームギヤ５３と噛合するウォームホイール５４と、ウォームホイール５４と一体的に回動可能にシャフト５５に固定され且つ正面視にて半円状のストッパー５６等を有する。このストッパー機構２３Ｂは、開閉蓋９をストッパー５６とウォームホイール５４との間に保持することにより開閉蓋９の閉止状態を保持する保持位置と、サーボモータ５２の駆動によりウォームギヤ５３を介して、ウォームホイール５４とストッパー５６とを一体的に保持位置から１８０°回動させて、開閉蓋９を開放させる開放位置とに亙って切換え可能に構成される。
【００４５】
４］副熱交換器７において複数の水管７ａの下端部においてこれらの長さ方向に亙ってリブを夫々形成し、これらの水管７ａの表面に付着したドレンの落下を促進するように構成してもよい。
５］上記実施例においては、排気カバー２０の上端に排気口２２を設けた給湯装置１に適用したが、排気カバー２０の前端に排気口を設けて排気ガスを前方から排出するタイプの給湯装置にも適用可能である。
６〕その他、当業者であれば、本発明の趣旨を逸脱することなく、前記実施例に種々の変更を付加した形態で実施可能で、本発明はそのような変更形態も包含するものである。
【図面の簡単な説明】
【００４６】
【図１】本発明の実施例に係る給湯装置の概略構成図である。
【図２】給湯装置の縦断面図である。
【図３】開閉蓋周辺の正面図である。
【図４】ストッパー機構の縦断面図である。
【図５】ファン及びストッパー機構制御のフローチャートである。
【図６】変形例の図３相当図である。
【図７】変形例における開閉蓋周辺の縦断面図である。
【図８】変形例の図４相当図である。
【図９】変形例におけるストッパー機構の側面図である。
【図１０】変形例におけるストッパー機構の正面図である。
【符号の説明】
【００４７】
１        給湯装置
５        バーナー
６        主熱交換器
７        副熱交換器
８        ドレン受け
９，９Ａ  開閉蓋
１０      回転蓋
１２      ファン
１３      温度センサ
２１      排気通路
２３，２３Ａ，２３Ｂ  ストッパー機構
４３      排水路
４８      コントロールユニット
【図１】
2007303701.tif 000003
【図２】
2007303701.tif 000004
【図３】
2007303701.tif 000005
【図４】
2007303701.tif 000006
【図５】
2007303701.tif 000007
【図６】
2007303701.tif 000008
【図７】
2007303701.tif 000009
【図８】
2007303701.tif 000010
【図９】
2007303701.tif 000011
【図１０】
2007303701.tif 000012